(57)【要約】【課題】本発明は日よけと省エネ機能を有する緑化生態壁を開示した。【解決手段】本発明は日よけと省エネ機能を有する緑化生態壁を開示し、壁体を含み、前記壁体の中には窓台が設置され、前記窓台の左側と室内とは連通され、前記窓台の右側と外界とは連通され、前記壁体の右側面には防護機構が設置され、前記防護機構は前記窓台の下側に位置し、前記防護機構は観葉植物を栽培と防護でき、且つ防風機能と、防暴雨機能と、外力による観葉植物破壊に対する防止機能とを有し、本発明は複数の機能を有し、エコで省エネルギーであり、また、生態緑化に役に立ち、優れた日よけ機能の上で、情操を養え、複数の機能を統一し、日よけ効果を大幅に向上させ、夏に室内の温度を有効的に下げられ、建築物内のエネルギー消耗も控えられる。【選択図】図１
2020204246.tif 000002
【特許請求の範囲】
【請求項１】
壁体を含み、前記壁体の中には窓台が設置され、前記窓台の左側と室内とは連通され、前記窓台の右側と外界とは連通され、前記壁体の右側面には防護機構が設置され、前記防護機構は前記窓台の下側に位置し、前記防護機構は観葉植物を栽培と防護でき、且つ防風機能と、防暴雨機能と、外力による観葉植物破壊に対する防止機能とを有し、前記壁体の中には昇降空間が設置さ、前記昇降空間と外界とは連通するように設置され、前記昇降空間の中には観葉植物の上下移動を制御できる昇降機構が設置され、前記昇降機構を通じて観葉植物に人工に手入れを行うことができ、前記昇降空間の下側には貯水空間が設置され、前記貯水空間の左側内部の中には出水機構が設置され、前記出水機構は雨水収集機能と水かけ機能を有し、
前記貯水空間の左側には制御空間が設置され、前記制御空間の後側には動力空間が設置され、前記動力空間の中には動力機構が設置され、前記動力機構は二種類の出水効果を制御でき、一つは観葉植物に水をかけられ、もう一つは壁面に水をかけられ、前記窓台の中には電力機構が設置され、前記電力機構は日よけ機能と電力提供機能を有し、前記窓台の上側にある前記壁体の中には伝動空間が設置され、前記伝動空間と外界とは連通するように設置され、前記伝動空間の右側には日よけが設置され、前記伝動空間の中には制御機構が設置され、前記制御機構は前記日よけの開閉を制御でき、且つ前記電力機構の広がりと収縮も制御できることを特徴とする日よけと省エネ機能を有する緑化生態壁。
【請求項２】
前記防護機構は前記壁体の右側面に固定的に設置された固定カバーを含み、前記固定カバーの中には下球状空間が設置され、前記下球状空間の後壁には短軸が回転可能に設置され、前記短軸の前側面には第一ウォームホイールが固定的に設置され、前記短軸のうち後方に延在する部分は前記下球状空間の後壁を貫通し、且つ外界に延伸するように設置され、さらに前記短軸の後側面にはガラスカバーが固定的に設置され、前記ガラスカバーの中には上球状空間が設置され、前記ガラスカバーと前記上球状空間との間の内壁の中には複数の通気穴が均一に配列され、前記昇降空間の左側には方形空間が設置され、前記方形空間の底壁の中には第一モータが固定的に嵌め込まれており、前記第一モータのうち上方に延在する部分は前記方形空間の中に延在し、且つ前記第一モータの上側面には第一傘歯車が伝動可能に連結され、前記方形空間の後側には矩形空間が設置され、前記矩形空間と前記方形空間との間には細軸が回転可能に設置され、前記細軸は前後方向に延伸するように設置され、前記細軸のうち前方に延在する部分は前記方形空間の中に延在し、且つ前記細軸の前側面には第二傘歯車が固定的に設置され、前記第二傘歯車と前記第一傘歯車とは噛み合っており、前記細軸のうち後方に延在する部分は前記矩形空間の中に延在し、且つ前記細軸の後側面には第二ウォームホイールが固定的に設置され、前記矩形空間の左側壁には第一ウォームが回転可能に設置され、前記第一ウォームと前記第二ウォームホイールとは噛み合っており、前記第一ウォームのうち右方に延在する部分は前記矩形空間の右側壁を貫通し、且つ前記下球状空間の中に延在して前記第一ウォームホイールと噛み合っていることを特徴とする請求項１に記載の日よけと省エネ機能を有する緑化生態壁。
【請求項３】
前記昇降機構は前記昇降空間の頂壁に回転可能に設置された昇降軸を含み、前記昇降軸の外周には支持ブロックが設置され、前記支持ブロックと前記昇降軸とはネジ山で連結され、前記支持ブロックの上側面には栽培鉢を置くことができ、前記栽培鉢は観葉植物を栽培することができ、前記支持ブロックの中には透水穴が設置され、前記透水穴の上側と前記栽培鉢の内壁とは連通するように設置され、前記透水穴の下側と前記下球状空間とは連通するように設置され、前記昇降空間と前記貯水空間との間にはベルト空間が設置され、前記昇降軸のうち下方に延在する部分は前記昇降空間の底壁を貫通し、且つ前記ベルト空間の中に延在し、さらに前記昇降軸の底面には第二プーリが固定的に設置され、前記第一モータのうち下方に延在する部分は前記ベルト空間の中に延在し、且つ前記第一モータには第一プーリが伝動可能に連結され、前記第一プーリと前記第二プーリとの間にはベルトが装着されていることを特徴とする請求項２に記載の日よけと省エネ機能を有する緑化生態壁。
【請求項４】
前記出水機構は前記貯水空間の左側内壁の中に固定的に嵌め込まれた揚水ポンプを含み、前記揚水ポンプの右側と前記貯水空間とは連通するように設置され、前記貯水空間と前記下球状空間とは連通するように設置され、前記貯水空間の後側と外界の水源とは連通され、前記貯水空間の右側下部には収集管が連結され、前記収集管のうち右方に延在する部分は前記貯水空間の右側内壁を貫通し、且つ外界に延伸するように設置され、さらに前記収集管の右側には収集容器が固定的に設置され、前記揚水ポンプの左側には水管が固定的に連結され、前記揚水ポンプは前記水管と連通でき、前記水管は前記壁体の内壁の中に固定的に嵌め込まれており、前記水管は上下方向に延伸するように設置され、前記水管のうち下方に延在する部分の右側には水噴射管が固定的に連結され、前記水噴射管のうち右方に延在する部分は前記壁体の内壁を貫通し、且つ外界に延伸するように設置され、さらに前記水噴射管の右側には回転ノズルが固定的に設置されていることを特徴とする請求項３に記載の日よけと省エネ機能を有する緑化生態壁。
【請求項５】
前記昇降空間の後側には置き空間が設置され、前記置き空間と前記上球状空間とは連通するように設置され、前記置き空間の左側にはスライド空間が設置され、前記スライド空間の中には水かけ管がスライド可能に設置され、前記水かけ管は前記水管のうち上方に延在する部分と連通できるように設置され、前記水かけ管の左側面と前記スライド空間の左壁との間にはばねが装着され、前記水かけ管のうち右方に延在する部分は前記置き空間の中に延在し、且つ前記水かけ管の右側には水かけノズルが固定的に設置され、前記スライド空間の上側には偏心輪空間が設置され、前記偏心輪空間の後壁には伝動軸が回転可能に設置され、前記伝動軸の外周には偏心輪が固定的に設置され、前記水かけ管の頂面には歯が付いており、前記偏心輪は前記水かけ管の頂面と噛み合うことができることを特徴とする請求項４に記載の日よけと省エネ機能を有する緑化生態壁。
【請求項６】
前記制御空間の後壁には回転軸と定位軸とが回転可能に設置され、前記回転軸の外周には第一連結棒が固定的に設置され、前記定位軸の外周には第二連結棒が固定的に設置され、前記第二連結棒の上側部分にはスライドブッシュがスライド可能に設置され、前記第一連結棒と前記スライドブッシュとはヒンジで連結され、前記制御空間の右側下部には連結空間が設置され、前記連結空間の中には第三連結棒がスライド可能に設置され、前記第三連結棒と前記第二連結棒とはヒンジで連結され、前記第三連結棒の右側面にはピストンが固定的に設置され、前記ピストンは前記水管の中に插入することができることを特徴とする請求項５に記載の日よけと省エネ機能を有する緑化生態壁。
【請求項７】
前記動力機構は前記動力空間の左側内壁の中に固定的に嵌め込まれた第二モータを含み、前記第二モータの右側には動力軸が伝動可能に連結され、前記動力軸の外周には第一歯車が固定的に設置され、前記伝動軸のうち後方に延在する部分は前記偏心輪空間の後壁を貫通し、且つ前記動力空間の中に延在し、さらに前記伝動軸の後側面には第二歯車が固定的に設置され、前記第二歯車と前記第一歯車とは噛み合っており、前記動力軸の右側面とラチェット組とは固定的に連結され、前記回転軸のうち後方に延在する部分は前記制御空間の後側壁を貫通し、且つ前記動力空間の中に延在し、さらに前記回転軸の後側面は前記ラチェット組と固定的に連結されていることを特徴とする請求項６に記載の日よけと省エネ機能を有する緑化生態壁。
【請求項８】
前記電力機構は前記窓台の上壁の中に設置されたスライドレール空間を含み、前記スライドレール空間の中にはスライドブロックが六つスライド可能に設置され、六つの前記スライドブロックの底面にはいずれもソーラーパネルが回転可能に連結され、前記ソーラーパネルはいずれも前記窓台の底壁とスライド可能に連結され、前記窓台の底壁の中には導電層が設置され、前記導電層の片側は前記ソーラーパネルと連結され、前記導電層の他方側は前記第一モータと、前記第二モータと、前記揚水ポンプとが連結され、前記スライドレール空間の後壁にはスタッドボルトが回転可能に設置され、前記スタッドボルトのうち前方に延在する部分は六つの前記スライドブロックを貫通し、且つ前記窓台の前側壁と回転可能に連結され、最前側に位置する前記スライドブロックは前記窓台の前側壁と固定的に連結され、最後側に位置する前記スライドブロックは前記スタッドボルトとネジ山で連結され、他の五つの前記スライドブロックは前記スタッドボルトと遊合され、六つの前記スライドブロックの間にはいずれも交差連結棒がヒンジで連結されていることを特徴とする請求項１に記載の日よけと省エネ機能を有する緑化生態壁。
【請求項９】
前記制御機構は前記伝動空間の後側壁に回転可能に設置された従動軸を含み、前記従動軸の外周には日よけが装着され、前記日よけは外界に延伸するように設置され、前記従動軸の外周には第三傘歯車が固定的に設置され、前記伝動空間と前記室内との間の内壁の中には横軸が回転可能に設置され、前記横軸は左右方向に延伸するように設置され、前記横軸のうち右方に延在する部分は前記伝動空間の中に延在し、且つ前記横軸の右側面には第四傘歯車が固定的に設置され、前記第四傘歯車と前記第三傘歯車とは噛み合っており、前記伝動空間の中に位置する前記横軸の外周には第三ウォームホイールが固定的に設置され、前記伝動空間と前記スライドレール空間とは連通するように設置され、前記第三ウォームホイールのうち下方に延在する部分は前記スライドレール空間の中に延在し、且つ前記スタッドボルトと噛み合っており、前記横軸のうち左方に延在する部分は前記室内の中に延在し、且つ前記横軸の左側面にはリールが固定的に設置され、前記室内の右壁にはハンド輪が固定的に設置され、前記ハンド輪と前記リールとの間には鋼線が装着されていることを特徴とする請求項８に記載の日よけと省エネ機能を有する緑化生態壁。
【発明の詳細な説明】
【技術分野】
【０００１】
本発明は建築物の日よけ技術分野を取り上げ、具体的には日よけと省エネ機能を有する緑化生態壁である。
【背景技術】
【０００２】
建築物の日よけ設計は省エネ・エコな項目として、多くの現代建築によって表されている。日よけ設計は主に日差しが室内を直射することを避け、建築物の構造が過熱で損害されることを防ぐのに利用され、それと同じく、エコ化と生態化もより現代建築に提唱されていく。両者を統一させることで、さらなる効果を果たせる。冷たい建築をより生き生きとさせられるだけでなく、省エネとエコ精神を旨とし、より優れた日よけ効果を作り上げられる。従って、こういう部類の壁体を設計する必要がある。壁体の中に装置を埋め込み、建築物の壁体に日よけ効果を備えさせ、壁面にも観葉植物を植え付けられるようにする。さらに他の装置を設計し、夏に壁体を素早く冷やせ、また、省エネ精神のもとで、水源と電気とを有効的に利用せねばならない。同時に、夏の暴雨時期に、植えた観葉植物が壊されることを避けるため、防護措置を取る必要もある。
【先行技術文献】
【特許文献】
【０００３】
【特許文献１】中国特許出願公開第１１０１００６０９号明細書
【発明の概要】
【発明が解決しようとする課題】
【０００４】
本発明は日よけと省エネ機能を有する緑化生態壁を提供し、既存技術における上記の欠陥を解決することを目的とする。
【課題を解決するための手段】
【０００５】
上記の問題を解決するため、本発明の実施例による日よけと省エネ機能を有する緑化生態壁は、壁体を含み、前記壁体の中には窓台が設置され、前記窓台の左側と室内とは連通され、前記窓台の右側と外界とは連通され、前記壁体の右側面には防護機構が設置され、前記防護機構は前記窓台の下側に位置し、前記防護機構は観葉植物を栽培と防護でき、且つ防風機能と、防暴雨機能と、外力による観葉植物破壊に対する防止機能とを有し、前記壁体の中には昇降空間が設置さ、前記昇降空間と外界とは連通するように設置され、前記昇降空間の中には観葉植物の上下移動を制御できる昇降機構が設置され、前記昇降機構を通じて観葉植物に人工に手入れを行うことができ、前記昇降空間の下側には貯水空間が設置され、前記貯水空間の左側内部の中には出水機構が設置され、前記出水機構は雨水収集機能と水かけ機能を有し、前記貯水空間の左側には制御空間が設置され、前記制御空間の後側には動力空間が設置され、前記動力空間の中には動力機構が設置され、前記動力機構は二種類の出水効果を制御でき、一つは観葉植物に水をかけられ、もう一つは壁面に水をかけられ、前記窓台の中には電力機構が設置され、前記電力機構は日よけ機能と電力提供機能を有し、前記窓台の上側にある前記壁体の中には伝動空間が設置され、前記伝動空間と外界とは連通するように設置され、前記伝動空間の右側には日よけが設置され、前記伝動空間の中には制御機構が設置され、前記制御機構は前記日よけの開閉を制御でき、且つ前記電力機構の広がりと収縮も制御できる。
【０００６】
さらなる技術プランとして、前記防護機構は前記壁体の右側面に固定的に設置された固定カバーを含み、前記固定カバーの中には下球状空間が設置され、前記下球状空間の後壁には短軸が回転可能に設置され、前記短軸の前側面には第一ウォームホイールが固定的に設置され、前記短軸のうち後方に延在する部分は前記下球状空間の後壁を貫通し、且つ外界に延伸するように設置され、さらに前記短軸の後側面にはガラスカバーが固定的に設置され、前記ガラスカバーの中には上球状空間が設置され、前記ガラスカバーと前記上球状空間との間の内壁の中には複数の通気穴が均一に配列され、前記昇降空間の左側には方形空間が設置され、前記方形空間の底壁の中には第一モータが固定的に嵌め込まれており、前記第一モータのうち上方に延在する部分は前記方形空間の中に延在し、且つ前記第一モータの上側面には第一傘歯車が伝動可能に連結され、前記方形空間の後側には矩形空間が設置され、前記矩形空間と前記方形空間との間には細軸が回転可能に設置され、前記細軸は前後方向に延伸するように設置され、前記細軸のうち前方に延在する部分は前記方形空間の中に延在し、且つ前記細軸の前側面には第二傘歯車が固定的に設置され、前記第二傘歯車と前記第一傘歯車とは噛み合っており、前記細軸のうち後方に延在する部分は前記矩形空間の中に延在し、且つ前記細軸の後側面には第二ウォームホイールが固定的に設置され、前記矩形空間の左側壁には第一ウォームが回転可能に設置され、前記第一ウォームと前記第二ウォームホイールとは噛み合っており、前記第一ウォームのうち右方に延在する部分は前記矩形空間の右側壁を貫通し、且つ前記下球状空間の中に延在して前記第一ウォームホイールと噛み合っている。
【０００７】
さらなる技術プランとして、前記昇降機構は前記昇降空間の頂壁に回転可能に設置された昇降軸を含み、前記昇降軸の外周には支持ブロックが設置され、前記支持ブロックと前記昇降軸とはネジ山で連結され、前記支持ブロックの上側面には栽培鉢を置くことができ、前記栽培鉢は観葉植物を栽培することができ、前記支持ブロックの中には透水穴が設置され、前記透水穴の上側と前記栽培鉢の内壁とは連通するように設置され、前記透水穴の下側と前記下球状空間とは連通するように設置され、前記昇降空間と前記貯水空間との間にはベルト空間が設置され、前記昇降軸のうち下方に延在する部分は前記昇降空間の底壁を貫通し、且つ前記ベルト空間の中に延在し、さらに前記昇降軸の底面には第二プーリが固定的に設置され、前記第一モータのうち下方に延在する部分は前記ベルト空間の中に延在し、且つ前記第一モータには第一プーリが伝動可能に連結され、前記第一プーリと前記第二プーリとの間にはベルトが装着されている。
【０００８】
さらなる技術プランとして、前記出水機構は前記貯水空間の左側内壁の中に固定的に嵌め込まれた揚水ポンプを含み、前記揚水ポンプの右側と前記貯水空間とは連通するように設置され、前記貯水空間と前記下球状空間とは連通するように設置され、前記貯水空間の後側と外界の水源とは連通され、前記貯水空間の右側下部には収集管が連結され、前記収集管のうち右方に延在する部分は前記貯水空間の右側内壁を貫通し、且つ外界に延伸するように設置され、さらに前記収集管の右側には収集容器が固定的に設置され、前記揚水ポンプの左側には水管が固定的に連結され、前記揚水ポンプは前記水管と連通でき、前記水管は前記壁体の内壁の中に固定的に嵌め込まれており、前記水管は上下方向に延伸するように設置され、前記水管のうち下方に延在する部分の右側には水噴射管が固定的に連結され、前記水噴射管のうち右方に延在する部分は前記壁体の内壁を貫通し、且つ外界に延伸するように設置され、さらに前記水噴射管の右側には回転ノズルが固定的に設置されている。
【０００９】
さらなる技術プランとして、前記昇降空間の後側には置き空間が設置され、前記置き空間と前記上球状空間とは連通するように設置され、前記置き空間の左側にはスライド空間が設置され、前記スライド空間の中には水かけ管がスライド可能に設置され、前記水かけ管は前記水管のうち上方に延在する部分と連通できるように設置され、前記水かけ管の左側面と前記スライド空間の左壁との間にはばねが装着され、前記水かけ管のうち右方に延在する部分は前記置き空間の中に延在し、且つ前記水かけ管の右側には水かけノズルが固定的に設置され、前記スライド空間の上側には偏心輪空間が設置され、前記偏心輪空間の後壁には伝動軸が回転可能に設置され、前記伝動軸の外周には偏心輪が固定的に設置され、前記水かけ管の頂面には歯が付いており、前記偏心輪は前記水かけ管の頂面と噛み合うことができる。
【００１０】
さらなる技術プランとして、前記制御空間の後壁には回転軸と定位軸とが回転可能に設置され、前記回転軸の外周には第一連結棒が固定的に設置され、前記定位軸の外周には第二連結棒が固定的に設置され、前記第二連結棒の上側部分にはスライドブッシュがスライド可能に設置され、前記第一連結棒と前記スライドブッシュとはヒンジで連結され、前記制御空間の右側下部には連結空間が設置され、前記連結空間の中には第三連結棒がスライド可能に設置され、前記第三連結棒と前記第二連結棒とはヒンジで連結され、前記第三連結棒の右側面にはピストンが固定的に設置され、前記ピストンは前記水管の中に插入することができる。
【００１１】
さらなる技術プランとして、前記動力機構は前記動力空間の左側内壁の中に固定的に嵌め込まれた第二モータを含み、前記第二モータの右側には動力軸が伝動可能に連結され、前記動力軸の外周には第一歯車が固定的に設置され、前記伝動軸のうち後方に延在する部分は前記偏心輪空間の後壁を貫通し、且つ前記動力空間の中に延在し、さらに前記伝動軸の後側面には第二歯車が固定的に設置され、前記第二歯車と前記第一歯車とは噛み合っており、前記動力軸の右側面とラチェット組とは固定的に連結され、前記回転軸のうち後方に延在する部分は前記制御空間の後側壁を貫通し、且つ前記動力空間の中に延在し、さらに前記回転軸の後側面は前記ラチェット組と固定的に連結されている。
【００１２】
さらなる技術プランとして、前記電力機構は前記窓台の上壁の中に設置されたスライドレール空間を含み、前記スライドレール空間の中にはスライドブロックが六つスライド可能に設置され、六つの前記スライドブロックの底面にはいずれもソーラーパネルが回転可能に連結され、前記ソーラーパネルはいずれも前記窓台の底壁とスライド可能に連結され、前記窓台の底壁の中には導電層が設置され、前記導電層の片側は前記ソーラーパネルと連結され、前記導電層の他方側は前記第一モータと、前記第二モータと、前記揚水ポンプとが連結され、前記スライドレール空間の後壁にはスタッドボルトが回転可能に設置され、前記スタッドボルトのうち前方に延在する部分は六つの前記スライドブロックを貫通し、且つ前記窓台の前側壁と回転可能に連結され、最前側に位置する前記スライドブロックは前記窓台の前側壁と固定的に連結され、最後側に位置する前記スライドブロックは前記スタッドボルトとネジ山で連結され、他の五つの前記スライドブロックは前記スタッドボルトと遊合され、六つの前記スライドブロックの間にはいずれも交差連結棒がヒンジで連結されている。
【００１３】
さらなる技術プランとして、前記制御機構は前記伝動空間の後側壁に回転可能に設置された従動軸を含み、前記従動軸の外周には日よけが装着され、前記日よけは外界に延伸するように設置され、前記従動軸の外周には第三傘歯車が固定的に設置され、前記伝動空間と前記室内との間の内壁の中には横軸が回転可能に設置され、前記横軸は左右方向に延伸するように設置され、前記横軸のうち右方に延在する部分は前記伝動空間の中に延在し、且つ前記横軸の右側面には第四傘歯車が固定的に設置され、前記第四傘歯車と前記第三傘歯車とは噛み合っており、前記伝動空間の中に位置する前記横軸の外周には第三ウォームホイールが固定的に設置され、前記伝動空間と前記スライドレール空間とは連通するように設置され、前記第三ウォームホイールのうち下方に延在する部分は前記スライドレール空間の中に延在し、且つ前記スタッドボルトと噛み合っており、前記横軸のうち左方に延在する部分は前記室内の中に延在し、且つ前記横軸の左側面にはリールが固定的に設置され、前記室内の右壁にはハンド輪が固定的に設置され、前記ハンド輪と前記リールとの間には鋼線が装着されている。
【発明の効果】
【００１４】
本発明は以下のプラス効果を有する：本発明は複数の機能を有し、エコで省エネルギーであり、また、生態緑化に役に立ち、優れた日よけ機能の上で、情操を養え、複数の機能を統一し、日よけ効果を大幅に向上させ、夏に室内の温度を有効的に下げられ、建築物内のエネルギー消耗も控えられ、中で防護機構は観葉植物を夏の暴雨や外力などの危害から保護でき、昇降機構は随時に観葉植物に手入れを行え、出水機構は観葉植物に水をかけられ、壁体にも水をかけて温度を下げられ、さらに、雨水と水かけをした後に残った余分の水とを集められ、より良い節約効果を果たせ、電力機構におけるソーラーパネルは装置全体に電力を提供してエネルギー問題を解決できるだけでなく、日よけを伸縮することで日差しと雨水とを遮断でき、雨水を収集する装置に導水もでき、壁体装置における複数の機構が連動でき、巧妙に設計され、高性能である。
【図面の簡単な説明】
【００１５】
下記に図１〜６を合わせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１６】
【図１】図１は本発明の内部全体構成略図
【図２】図２は図１におけるＡの構成拡大略図
【図３】図３は図１におけるＢの構成拡大略図
【図４】図４は本発明における電力機構の局部構成略図
【図５】図５は本発明における動力機構の左面図
【図６】図６は本発明における矩形空間の拡大略図
【発明を実施するための形態】
【００１７】
図１〜６を参照し、本発明の実施例による日よけと省エネ機能を有する緑化生態壁は、壁体１１を含み、前記壁体１１の中には窓台２５が設置され、前記窓台２５の左側と室内１０とは連通され、前記窓台２５の右側と外界とは連通され、前記壁体１１の右側面には防護機構１０１が設置され、前記防護機構１０１は前記窓台２５の下側に位置し、前記防護機構１０１は観葉植物を栽培と防護でき、且つ防風機能と、防暴雨機能と、外力による観葉植物破壊に対する防止機能とを有し、前記壁体１１の中には昇降空間３０が設置さ、前記昇降空間３０と外界とは連通するように設置され、前記昇降空間３０の中には観葉植物の上下移動を制御できる昇降機構１０２が設置され、前記昇降機構１０２を通じて観葉植物に人工に手入れを行うことができ、前記昇降空間３０の下側には貯水空間５３が設置され、前記貯水空間５３の左側内部の中には出水機構１０３が設置され、前記出水機構１０３は雨水収集機能と水かけ機能を有し、前記貯水空間５３の左側には制御空間４６が設置され、前記制御空間４６の後側には動力空間７６が設置され、前記動力空間７６の中には動力機構１０４が設置され、前記動力機構１０４は二種類の出水効果を制御でき、一つは観葉植物に水をかけられ、もう一つは壁面に水をかけられ、前記窓台２５の中には電力機構１０５が設置され、前記電力機構１０５は日よけ機能と電力提供機能を有し、前記窓台２５の上側にある前記壁体１１の中には伝動空間１４が設置され、前記伝動空間１４と外界とは連通するように設置され、前記伝動空間１４の右側には日よけ１６が設置され、前記伝動空間１４の中には制御機構１０６が設置され、前記制御機構１０６は前記日よけ１６の開閉を制御でき、且つ前記電力機構１０５の広がりと収縮も制御できる。
【００１８】
また、一つの実施例においては、前記防護機構１０１は前記壁体１１の右側面に固定的に設置された固定カバー８８を含み、前記固定カバー８８の中には下球状空間３５が設置され、前記下球状空間３５の後壁には短軸５６が回転可能に設置され、前記短軸５６の前側面には第一ウォームホイール５５が固定的に設置され、前記短軸５６のうち後方に延在する部分は前記下球状空間３５の後壁を貫通し、且つ外界に延伸するように設置され、さらに前記短軸５６の後側面にはガラスカバー８７が固定的に設置され、前記ガラスカバー８７の中には上球状空間３１が設置され、前記ガラスカバー８７と前記上球状空間３１との間の内壁の中には複数の通気穴３２が均一に配列され、前記昇降空間３０の左側には方形空間５７が設置され、前記方形空間５７の底壁の中には第一モータ６１が固定的に嵌め込まれており、前記第一モータ６１のうち上方に延在する部分は前記方形空間５７の中に延在し、且つ前記第一モータ６１の上側面には第一傘歯車６０が伝動可能に連結され、前記方形空間５７の後側には矩形空間８１が設置され、前記矩形空間８１と前記方形空間５７との間には細軸５９が回転可能に設置され、前記細軸５９は前後方向に延伸するように設置され、前記細軸５９のうち前方に延在する部分は前記方形空間５７の中に延在し、且つ前記細軸５９の前側面には第二傘歯車５８が固定的に設置され、前記第二傘歯車５８と前記第一傘歯車６０とは噛み合っており、前記細軸５９のうち後方に延在する部分は前記矩形空間８１の中に延在し、且つ前記細軸５９の後側面には第二ウォームホイール８２が固定的に設置され、前記矩形空間８１の左側壁には第一ウォーム５４が回転可能に設置され、前記第一ウォーム５４と前記第二ウォームホイール８２とは噛み合っており、前記第一ウォーム５４のうち右方に延在する部分は前記矩形空間８１の右側壁を貫通し、且つ前記下球状空間３５の中に延在して前記第一ウォームホイール５５と噛み合っており、
前記第一モータ６１の作動により、前記第二傘歯車５８は回転でき、さらに前記第一ウォーム５４を回転させ、それにより、前記ガラスカバー８７を開閉できる。
【００１９】
また、一つの実施例においては、前記昇降機構１０２は前記昇降空間３０の頂壁に回転可能に設置された昇降軸２９を含み、前記昇降軸２９の外周には支持ブロック３４が設置され、前記支持ブロック３４と前記昇降軸２９とはネジ山で連結され、前記支持ブロック３４の上側面には栽培鉢３３を置くことができ、前記栽培鉢３３は観葉植物を栽培することができ、前記支持ブロック３４の中には透水穴３６が設置され、前記透水穴３６の上側と前記栽培鉢３３の内壁とは連通するように設置され、前記透水穴３６の下側と前記下球状空間３５とは連通するように設置され、前記昇降空間３０と前記貯水空間５３との間にはベルト空間６３が設置され、前記昇降軸２９のうち下方に延在する部分は前記昇降空間３０の底壁を貫通し、且つ前記ベルト空間６３の中に延在し、さらに前記昇降軸２９の底面には第二プーリ６５が固定的に設置され、前記第一モータ６１のうち下方に延在する部分は前記ベルト空間６３の中に延在し、且つ前記第一モータ６１には第一プーリ６２が伝動可能に連結され、前記第一プーリ６２と前記第二プーリ６５との間にはベルト６４が装着され、
前記第一モータ６１の作動により、前記ベルト６４は動力を伝達でき、それにより、前記昇降軸２９は回転し、前記支持ブロック３４を上昇又は降下させられる。
【００２０】
また、一つの実施例においては、前記出水機構１０３は前記貯水空間５３の左側内壁の中に固定的に嵌め込まれた揚水ポンプ４７を含み、前記揚水ポンプ４７の右側と前記貯水空間５３とは連通するように設置され、前記貯水空間５３と前記下球状空間３５とは連通するように設置され、前記貯水空間５３の後側と外界の水源とは連通され、前記貯水空間５３の右側下部には収集管５１が連結され、前記収集管５１のうち右方に延在する部分は前記貯水空間５３の右側内壁を貫通し、且つ外界に延伸するように設置され、さらに前記収集管５１の右側には収集容器５２が固定的に設置され、前記揚水ポンプ４７の左側には水管４８が固定的に連結され、前記揚水ポンプ４７は前記水管４８と連通でき、前記水管４８は前記壁体１１の内壁の中に固定的に嵌め込まれており、前記水管４８は上下方向に延伸するように設置され、前記水管４８のうち下方に延在する部分の右側には水噴射管４９が固定的に連結され、前記水噴射管４９のうち右方に延在する部分は前記壁体１１の内壁を貫通し、且つ外界に延伸するように設置され、さらに前記水噴射管４９の右側には回転ノズル５０が固定的に設置され、
前記貯水空間５３は前記収集容器５２を通じて雨水を集められ、前記下球状空間３５の中の観葉植物に水かけをした後に流れ落ちた余分の水も集められ、前記揚水ポンプ４７は前記貯水空間５３の中に貯蔵された水で、前記回転ノズル５０によって前記壁体１１の右側面に水かけをし、温度を下げることができる。  
【００２１】
また、一つの実施例においては、前記昇降空間３０の後側には置き空間４３が設置され、前記置き空間４３と前記上球状空間３１とは連通するように設置され、前記置き空間４３の左側にはスライド空間４０が設置され、前記スライド空間４０の中には水かけ管４２がスライド可能に設置され、前記水かけ管４２は前記水管４８のうち上方に延在する部分と連通できるように設置され、前記水かけ管４２の左側面と前記スライド空間４０の左壁との間にはばね４１が装着され、前記水かけ管４２のうち右方に延在する部分は前記置き空間４３の中に延在し、且つ前記水かけ管４２の右側には水かけノズル４４が固定的に設置され、前記スライド空間４０の上側には偏心輪空間３７が設置され、前記偏心輪空間３７の後壁には伝動軸３９が回転可能に設置され、前記伝動軸３９の外周には偏心輪３８が固定的に設置され、前記水かけ管４２の頂面には歯が付いており、前記偏心輪３８は前記水かけ管４２の頂面と噛み合うことができ、
前記伝動軸３９の回転により、前記水かけ管４２を右方に移動させられ、且つ前記水かけノズル４４を観葉植物の上方に位置させられ、そして前記水かけ管４２と前記水管４８とが連通され、水をかけられる。
【００２２】
また、一つの実施例においては、前記制御空間４６の後壁には回転軸６６と定位軸７０とが回転可能に設置され、前記回転軸６６の外周には第一連結棒６７が固定的に設置され、前記定位軸７０の外周には第二連結棒６９が固定的に設置され、前記第二連結棒６９の上側部分にはスライドブッシュ６８がスライド可能に設置され、前記第一連結棒６７と前記スライドブッシュ６８とはヒンジで連結され、前記制御空間４６の右側下部には連結空間７２が設置され、前記連結空間７２の中には第三連結棒７１がスライド可能に設置され、前記第三連結棒７１と前記第二連結棒６９とはヒンジで連結され、前記第三連結棒７１の右側面にはピストン７３が固定的に設置され、前記ピストン７３は前記水管４８の中に插入することができ、
前記回転軸６６の回転により、前記第三連結棒７１は右方に移動することができ、それにより、前記ピストン７３を前記水管４８の中に差し込み、前記水管４８と前記水噴射管４９との連通を遮断できる。
【００２３】
また、一つの実施例においては、前記動力機構１０４は前記動力空間７６の左側内壁の中に固定的に嵌め込まれた第二モータ７９を含み、前記第二モータ７９の右側には動力軸８０が伝動可能に連結され、前記動力軸８０の外周には第一歯車７８が固定的に設置され、前記伝動軸３９のうち後方に延在する部分は前記偏心輪空間３７の後壁を貫通し、且つ前記動力空間７６の中に延在し、さらに前記伝動軸３９の後側面には第二歯車７７が固定的に設置され、前記第二歯車７７と前記第一歯車７８とは噛み合っており、前記動力軸８０の右側面とラチェット組９９とは固定的に連結され、前記回転軸６６のうち後方に延在する部分は前記制御空間４６の後側壁を貫通し、且つ前記動力空間７６の中に延在し、さらに前記回転軸６６の後側面は前記ラチェット組９９と固定的に連結され、
前記第二モータ７９の正逆回転により、前記伝動軸３９又は前記回転軸６６は駆動されて回転でき、それにより、観葉植物又は壁面に対する水かけを制御できる。
【００２４】
また、一つの実施例においては、前記電力機構１０５は前記窓台２５の上壁の中に設置されたスライドレール空間１９を含み、前記スライドレール空間１９の中にはスライドブロック２０が六つスライド可能に設置され、六つの前記スライドブロック２０の底面にはいずれもソーラーパネル２４が回転可能に連結され、前記ソーラーパネル２４はいずれも前記窓台２５の底壁とスライド可能に連結され、前記窓台２５の底壁の中には導電層２８が設置され、前記導電層２８の片側は前記ソーラーパネル２４と連結され、前記導電層２８の他方側は前記第一モータ６１と、前記第二モータ７９と、前記揚水ポンプ４７とが連結され、前記スライドレール空間１９の後壁にはスタッドボルト２１が回転可能に設置され、前記スタッドボルト２１のうち前方に延在する部分は六つの前記スライドブロック２０を貫通し、且つ前記窓台２５の前側壁と回転可能に連結され、最前側に位置する前記スライドブロック２０は前記窓台２５の前側壁と固定的に連結され、最後側に位置する前記スライドブロック２０は前記スタッドボルト２１とネジ山で連結され、他の五つの前記スライドブロック２０は前記スタッドボルト２１と遊合され、六つの前記スライドブロック２０の間にはいずれも交差連結棒７４がヒンジで連結され、
前記スタッドボルト２１の回転により、六つの前記スライドブロック２０は右方に広がれ、それにより、前記ソーラーパネル２４を右方に広げられ、前記ソーラーパネル２４は充電して前記第一モータ６１と、前記第二モータ７９と、前記揚水ポンプ４７とに電気エネルギーを提供する。
【００２５】
また、一つの実施例においては、前記制御機構１０６は前記伝動空間１４の後側壁に回転可能に設置された従動軸１７を含み、前記従動軸１７の外周には日よけ１６が装着され、前記日よけ１６は外界に延伸するように設置され、前記従動軸１７の外周には第三傘歯車１８が固定的に設置され、前記伝動空間１４と前記室内１０との間の内壁の中には横軸１３が回転可能に設置され、前記横軸１３は左右方向に延伸するように設置され、前記横軸１３のうち右方に延在する部分は前記伝動空間１４の中に延在し、且つ前記横軸１３の右側面には第四傘歯車１５が固定的に設置され、前記第四傘歯車１５と前記第三傘歯車１８とは噛み合っており、前記伝動空間１４の中に位置する前記横軸１３の外周には第三ウォームホイール１２が固定的に設置され、前記伝動空間１４と前記スライドレール空間１９とは連通するように設置され、前記第三ウォームホイール１２のうち下方に延在する部分は前記スライドレール空間１９の中に延在し、且つ前記スタッドボルト２１と噛み合っており、前記横軸１３のうち左方に延在する部分は前記室内１０の中に延在し、且つ前記横軸１３の左側面にはリール２２が固定的に設置され、前記室内１０の右壁にはハンド輪２６が固定的に設置され、前記ハンド輪２６と前記リール２２との間には鋼線２３が装着され、
前記ハンド輪２６を回すことで、前記横軸１３は回転でき、それにより、前記日よけ１６を広げられ、同時に前記スタッドボルト２１を回転させられ、それにより、前記ソーラーパネル２４を広げられる。
【００２６】
使用時に、第一モータ６１を作動させ、第一モータ６１は正回転し、ベルト６４に伝動させ、それにより、昇降軸２９は回転し、支持ブロック３４を上方に移動させ、同時に細軸５９は回転し、第一ウォームホイール５３を回転させ、さらに短軸５６を回転させ、それにより、ガラスカバー８７を開くことができ、支持ブロック３４が最頂端に移動する時に、観葉植物に手入れを行うことができ、完了後に第一モータ６１を逆回転させ、支持ブロック３４は最底部に降下し、同時にガラスカバー８７は閉められ、観葉植物に水かけをする時に、揚水ポンプ４７と第二モータ７９とを作動させ、揚水ポンプ４７は水管４８に水を送り、第二モータ７９が正回転することで動力軸８０を回転させ、そして伝動軸３９を回転させ、さらに水かけ管４２は駆動されて右方に移動し、水管４８と連通し、且つ水かけノズル４４を観葉植物の上方に移動させ、水かけを行い、完了後に第二モータ７９を止めれば良し、壁面に温度を下げる必要があれば、第二モータ７９を作動させ、第二モータ７９は逆回転し、回転軸６６を回転させ、それにより、第三連結棒７１は左方に移動し、そしてピストン７３は左方に移動し、水管４８と水噴射管４９とを連通させ、水噴射を行い、日よけをする必要があれば、ハンド輪２６を回し、横軸１３を回転させ、それにより、日よけ１６を広げ、横軸１３の回転はさらにスタッドボルト２１を回転させ、それにより、ソーラーパネル２４を広げられ、日よけを行い、また、装置全体に電気エネルギーを提供できる。
【００２７】
本発明は以下のプラス効果を有する：本発明は複数の機能を有し、エコで省エネルギーであり、また、生態緑化に役に立ち、優れた日よけ機能の上で、情操を養え、複数の機能を統一し、日よけ効果を大幅に向上させ、夏に室内の温度を有効的に下げられ、建築物内のエネルギー消耗も控えられ、中で防護機構は観葉植物を夏の暴雨や外力などの危害から保護でき、昇降機構は随時に観葉植物に手入れを行え、出水機構は観葉植物に水をかけられ、壁体にも水をかけて温度を下げられ、さらに、雨水と水かけをした後に残った余分の水とを集められ、より良い節約効果を果たせ、電力機構におけるソーラーパネルは装置全体に電力を提供してエネルギー問題を解決できるだけでなく、日よけを伸縮することで日差しと雨水とを遮断でき、雨水を収集する装置に導水もでき、壁体装置における複数の機構が連動でき、巧妙に設計され、高性能である。
【００２８】
本分野の従業員が明確できるのは、本発明の主旨と発想から離脱しない場合で、以上の実施例に各種な変形が加えられ、それらの変形がすべて本発明の保護範囲にあり、従って、本発明の保護方案は本発明の権利要請書を標準とすべきである。
【図１】
2020204246.tif 000003
【図２】
2020204246.tif 000004
【図３】
2020204246.tif 000005
【図４】
2020204246.tif 000006
【図５】
2020204246.tif 000007
【図６】
2020204246.tif 000008